(57)【特許請求の範囲】
【請求項１】
電極カテーテルの先端電極と、人体表面に貼付される対極板との間に高周波電流を流すために使用する高周波電源装置であって、
前記先端電極と前記対極板との間の抵抗（インピーダンス）を測定する抵抗測定回路と、
抵抗測定回路により測定された抵抗（インピーダンス）を表示する表示部と、
抵抗体の両端にプラグ端子を有してなり、装置本体に対して着脱自在に設けられた標準抵抗器と、
前記電極カテーテルを接続するためのカテーテル接続コネクタと、
前記対極板を接続するための対極板接続コネクタと、
前記対極板接続コネクタに対して一方側に位置し、前記標準抵抗器のプラグ端子の一方が挿入される抵抗器接続第１コネクタと、
前記対極板接続コネクタに対して他方側に位置し、前記標準抵抗器のプラグ端子の他方が挿入される抵抗器接続第２コネクタと、
前記抵抗測定回路と前記カテーテル接続コネクタとを接続する第１配線と、
前記抵抗測定回路と前記抵抗器接続第１コネクタとを接続するために前記第１配線から分岐する第１分岐配線と、
前記抵抗測定回路と前記対極板接続コネクタを接続する第２配線と、
前記抵抗測定回路と前記抵抗器接続第２コネクタとを接続するために前記第２配線から分岐する第２分岐配線とを備え、
前記抵抗器接続第１コネクタおよび前記抵抗器接続第２コネクタの各々に前記標準抵抗器のプラグ端子の各々が挿入されているときには、前記対極板接続コネクタに前記対極板を接続できないように構成されていることを特徴とする高周波電源装置。
【請求項２】
前記標準抵抗器のプラグ端子と抵抗体との間に設けられ、前記抵抗器接続第１コネクタおよび前記抵抗器接続第２コネクタの各々に前記標準抵抗器のプラグ端子の各々を挿入したときに、前記対極板接続コネクタの少なくとも一部を覆うコネクタカバーを備えていることを特徴とする請求項１に記載の高周波電源装置。
【請求項３】
前記標準抵抗器のプラグ端子がフォーンプラグからなることを特徴とする請求項１または請求項２に記載の高周波電源装置。
【請求項４】
前記標準抵抗器のプラグ端子を構成するフォーンプラグが互いに同一のサイズであることを特徴とする請求項３に記載の高周波電源装置。
【請求項５】
前記標準抵抗器のプラグ端子を構成するフォーンプラグがミニプラグまたはマイクロプラグであることを特徴とする請求項３または請求項４に記載の高周波電源装置。
【請求項６】
心電計を接続するための心電計接続コネクタと、
前記心電計接続コネクタと前記カテーテル接続コネクタとを接続する第３配線とを備えていることを特徴とする請求項１乃至請求項５の何れかに記載の高周波電源装置。
【請求項７】
請求項６に記載の高周波電源装置と、
前記高周波電源装置のカテーテル接続コネクタに接続された電極カテーテルと、
前記高周波電源装置の対極板接続コネクタに接続された対極板と、
前記高周波電源装置の心電計接続コネクタに接続された心電計とを備えてなる電極カテーテルシステム。
【発明の詳細な説明】
【技術分野】
【０００１】
本発明は、高周波電源装置および電極カテーテルシステムに関し、更に詳しくは、電極カテーテルの先端電極と、人体表面に貼付される対極板との間に高周波電流を流すために使用する高周波電源装置、およびそのような高周波電源装置を備えた電極カテーテルシステムに関する。
【背景技術】
【０００２】
心臓の不整脈を診断または治療するための医療器具として電極カテーテルが知られている。この電極カテーテルは、通常、カテーテルシャフトと、カテーテルシャフトの基端に装着された制御ハンドルと、カテーテルシャフトの先端に装着された先端電極と、カテーテルシャフトの先端領域に装着されたリング状電極とから構成されている。
【０００３】
不整脈の診断または治療においては、電極カテーテルを心臓内に挿入し、電極（リング状電極および先端電極）によって心内電位を測定して異常伝導経路などの焼灼すべき部位を特定し、特定された部位に対して電極カテーテルの先端電極から高周波電流を通電して当該部位を焼灼することが行われている（例えば、特許文献１参照）。
【０００４】
ここに、先端電極から高周波電流を通電するために、電極カテーテルは高周波電源装置に接続されている。
高周波電流を流す方法として、電極カテーテルの先端電極と、人体の表面に貼付された対極板との間に通電するモノポーラ方式があり、モノポーラ方式では、電極カテーテルとともに、対極板が高周波電源装置に接続される。
【０００５】
モノポーラ方式による電極カテーテルでは、通電時における先端電極と対極板との間の抵抗（インピーダンス）が高周波電源装置に備えられた抵抗測定回路によって測定（計測）される。オペレータは、高周波電源装置の表示部に表示されるインピーダンスの測定値によって焼灼の状況を把握し、先端電極と対極板との間に流す高周波電流の流し方（電力）適宜調整する。
【先行技術文献】
【特許文献】
【０００６】
【特許文献１】特開平６−６３０５６号公報
【発明の概要】
【発明が解決しようとする課題】
【０００７】
上記のように、手技中において、電極カテーテルの先端電極と、対極板との間の抵抗（インピーダンス）を監視することはきわめて重要である。
このため、高周波電源装置の表示部に表示されるインピーダンスの測定値は、誤差のない正確なものでなければならない。
このような観点から、手技（焼灼治療）を行う前に、高周波電源装置の表示部に誤差のない正確なインピーダンスの測定値が表示されること（高周波電源装置における抵抗測定性能および表示性能並びに導通経路に問題がないこと）を確認することが望ましい。
【０００８】
このような確認を行うために、抵抗が既知（例えば１００Ω）の標準抵抗器を高周波電源装置に接続し、標準抵抗器の抵抗を抵抗測定回路で測定して表示部に表示させ、既知の抵抗（抵抗値）と対比することが考えられる。
しかして、高周波電源装置に標準抵抗器を接続する場合には、高周波電源装置から電極カテーテルおよび対極板をそれぞれ取り外し、電極カテーテルが接続されていたコネクタ（カテーテル接続コネクタ）に標準抵抗器の端子の一方を接続するとともに、対極板が接続されていたコネクタ（対極板接続コネクタ）に標準抵抗器の端子の他方を接続する必要がある。
【０００９】
このため、標準抵抗器においては、カテーテル接続コネクタに接続させる一方の端子を、電極カテーテルの端子と同一構造とし、対極板接続コネクタに接続させる他方の端子を、対極板の端子と同一構造としなければならない。
【００１０】
然るに、電極カテーテルの端子は特殊な構造（例えば、丸型多芯プラグ）を有しており、また、対極板の端子も特殊な構造をしていたり、サイズの大きなプラグ端子であったりする。このような特殊な形状の端子を標準抵抗器の両端の各々に設けることは、必要性を欠くばかりか、装置の複雑化やコストの上昇を招き好ましくない。また、一端側と他端側とで端子形状が異なることによって、高周波電源装置への標準抵抗器の装着操作も煩雑となる。
【００１１】
本発明は以上のような事情に基いてなされたものである。
本発明の目的は、正確なインピーダンスの測定値が表示部に表示されるか否かを手技（焼灼治療）を行う前に確認することができる高周波電源装置を提供することにある。
本発明の他の目的は、装置本体に対して、構造の簡単なプラグ端子により標準抵抗器を接続することができる高周波電源装置を提供することにある。
本発明の更に他の目的は、装置本体に対する標準抵抗器の装着が容易な高周波電源装置を提供することにある。
本発明の更に他の目的は、標準抵抗器の抵抗を測定するための回路と、電極カテーテルの先端電極と対極板との間の抵抗を測定したり、先端電極と対極板との間に高周波電流を流したりするための回路との並列回路が形成されることを防止することができる高周波電源装置を提供することにある。
【課題を解決するための手段】
【００１２】
（１）本発明の高周波電源装置は、電極カテーテルの先端電極と、人体表面に貼付される対極板との間に高周波電流を流すために使用する高周波電源装置であって、
前記先端電極と前記対極板との間の抵抗（インピーダンス）を測定する抵抗測定回路と、
抵抗測定回路により測定された抵抗（インピーダンス）を表示する表示部と、
抵抗体の両端にプラグ端子を有してなり、装置本体に対して着脱自在に設けられた標準抵抗器と、
前記電極カテーテルを接続するためのカテーテル接続コネクタと、
前記対極板を接続するための対極板接続コネクタと、
前記対極板接続コネクタに対して一方側に位置し、前記標準抵抗器のプラグ端子の一方が挿入される抵抗器接続第１コネクタと、
前記対極板接続コネクタに対して他方側に位置し、前記標準抵抗器のプラグ端子の他方が挿入される抵抗器接続第２コネクタと、
前記抵抗測定回路と前記カテーテル接続コネクタとを接続する第１配線と、
前記抵抗測定回路と前記抵抗器接続第１コネクタとを接続するために前記第１配線から分岐する第１分岐配線と、
前記抵抗測定回路と前記対極板接続コネクタを接続する第２配線と、
前記抵抗測定回路と前記抵抗器接続第２コネクタとを接続するために前記第２配線から分岐する第２分岐配線とを備え、
前記抵抗器接続第１コネクタおよび前記抵抗器接続第２コネクタの各々に前記標準抵抗器のプラグ端子の各々が挿入されているときには、前記対極板接続コネクタに前記対極板を接続できないように構成されていることを特徴とする。
【００１３】
上記のような構成の高周波電源装置によれば、抵抗器接続第１コネクタに標準抵抗器のプラグ端子の一方を挿入し、抵抗器接続第２コネクタに標準抵抗器のプラグ端子の他方を挿入することにより「抵抗測定回路→第１配線→第１分岐配線→抵抗器接続第１コネクタ→標準抵抗器のプラグ端子の一方→標準抵抗器→標準抵抗器のプラグ端子の他方→抵抗器接続第２コネクタ→第２分岐配線→第２配線→抵抗測定回路」の回路が形成される。
この結果、抵抗測定回路によって標準抵抗器の抵抗を測定することが可能となり、測定された抵抗は表示部において表示される。ここに、表示された抵抗が、標準抵抗器の既知の抵抗値と実質的に一致していれば、高周波電源装置における抵抗測定性能および表示性能並びに導通経路に問題がなく、手技時において、誤差のない正確な抵抗（インピーダンス）を表示することができる。
【００１４】
しかも、装置本体に対する標準抵抗器の接続は、抵抗器接続第１コネクタおよび抵抗器接続第２コネクタの各々に標準抵抗器の端子の各々を挿入することによってなされ、標準抵抗器の端子をカテーテル接続コネクタや対極板接続コネクタに接続する必要はないので、標準抵抗器の端子を構造の簡単なプラグ端子とすることができる。
【００１５】
また、抵抗器接続第１コネクタおよび抵抗器接続第２コネクタを、それぞれ、対極板接続コネクタの一方側および他方側に配置し、抵抗器接続第１コネクタおよび抵抗器接続第２コネクタの各々に標準抵抗器のプラグ端子の各々を挿入しているときには、対極板接続コネクタに対極板を接続できないように構成されていることにより、装置本体に標準抵抗器が装着されているときには、高周波電源装置に対して対極板を接続することができず、対極板接続コネクタに対極板を接続するためには、標準抵抗器のプラグ端子の少なくとも一方を取り外さなければならないので、標準抵抗器の抵抗を測定するための上述した回路と、電極カテーテルの先端電極と対極板との間の抵抗を測定したり、先端電極と対極板との間に高周波電流を流したりするための回路との並列回路が形成されることを防止することができ、これにより、並列回路が形成されたときに生じる問題（例えば、手技時に、先端電極と対極板との間に流すべき高周波電流の一部が標準抵抗器に流れることによって、十分な焼灼がなされないという問題）を回避することができる。
【００１６】
一方、抵抗器接続第１コネクタおよび抵抗器接続第２コネクタの各々に標準抵抗器のプラグ端子の各々を挿入している（装置本体に標準抵抗器を装着している）ときであっても、カテーテル接続コネクタに電極カテーテルを接続することができる。
このように、装置本体に対して、標準抵抗器および電極カテーテルを同時に接続させることができるので、例えば、電極カテーテルの先端電極の内部に温度測定手段（熱電対）を設けることにより、標準抵抗器の抵抗測定（抵抗測定性能および表示性能並びに導通経路の確認）と、先端電極近傍の温度測定とを同時に行うことができる。
【００１７】
（２）本発明の高周波電源装置において、前記標準抵抗器のプラグ端子（導電部）と抵抗体との間に設けられ、前記抵抗器接続第１コネクタおよび前記抵抗器接続第２コネクタの各々に前記標準抵抗器のプラグ端子の各々を挿入したときに、前記対極板接続コネクタの少なくとも一部を覆うコネクタカバーを備えていることが好ましい。
【００１８】
このような構成の高周波電源装置によれば、抵抗器接続第１コネクタおよび抵抗器接続第２コネクタの各々に標準抵抗器のプラグ端子の各々を挿入したときには、このコネクタカバーにより対極板接続コネクタの少なくとも一部が覆われるので、対極板接続コネクタに対極板を接続することができなくなる。
これにより、標準抵抗器の抵抗を測定するための回路と、電極カテーテルの先端電極と対極板との間の抵抗を測定したり、先端電極と対極板との間に高周波電流を流したりするための回路との並列回路が形成されることを確実に防止することができる。
【００１９】
（３）本発明の高周波電源装置において、前記標準抵抗器のプラグ端子がフォーンプラグからなることが好ましい。
【００２０】
標準抵抗器のプラグ端子の各々は、カテーテル接続コネクタおよび対極板接続コネクタの何れにも挿入されないので、フォーンプラグのような単純な構造のものとすることができ、これによりコストダウンを図ることができる。
ここに、標準抵抗器のプラグ端子がフォーンプラグ（オス端子）からなる場合において、抵抗器接続第１コネクタおよび抵抗器接続第２コネクタはフォーンジャック（メス端子）からなる。
【００２１】
（４）上記（３）の高周波電源装置において、前記標準抵抗器のプラグ端子を構成するフォーンプラグが互いに同一サイズであることが好ましい。
【００２２】
両方のプラグ端子が同一サイズのフォーンプラグであることにより、標準抵抗器の一方のプラグ端子を、抵抗器接続第１コネクタおよび抵抗器接続第２コネクタの何れに挿入してもよい（方向性を考慮しなくてもよい）ので、装置本体への標準抵抗器の装着操作が容易となる。
【００２３】
（５）上記（３）または（４）の高周波電源装置において、前記標準抵抗器のプラグ端子を構成するフォーンプラグがミニプラグまたはマイクロプラグであることが好ましい。
【００２４】
（６）本発明の高周波電源装置において、心電計を接続するための心電計接続コネクタと、前記心電計接続コネクタと前記カテーテル接続コネクタとを接続する第３配線とを備えていることが好ましい。
【００２５】
このような構成の高周波電源装置によれば、電極カテーテルの電極によって測定された心内電位（情報）を、カテーテル接続コネクタから第３配線を通して心電計接続コネクタに送り、心電計接続コネクタから心電計に出力させることができる。
【００２６】
（７）本発明の電極カテーテルシステムは、上記（６）の高周波電源装置と、
前記高周波電源装置のカテーテル接続コネクタに接続された電極カテーテルと、
前記高周波電源装置の対極板接続コネクタに接続された対極板と、
前記高周波電源装置の心電計接続コネクタに接続された心電計とを備えてなることを特徴とする。
【発明の効果】
【００２７】
本発明の高周波電源装置によれば、装置本体に対して着脱自在に設けられた標準抵抗器を備えていることにより、正確なインピーダンスの測定値が表示部に表示されるか否かを手技（焼灼治療）を行う前に確認することができる。
また、本発明の高周波電源装置によれば、装置本体に対して、構造の簡単なプラグ端子（例えば、フォーンプラグ）により標準抵抗器を装着することができる。
また、本発明の高周波電源装置によれば、標準抵抗器の抵抗を測定するための回路と、電極カテーテルの先端電極と対極板との間の抵抗を測定したり、先端電極と対極板との間に高周波電流を流したりするための回路との並列回路が形成されることを防止することができ、並列回路が形成されたときに生じる問題を回避することができる。
また、本発明の高周波電源装置によれば、装置本体に標準抵抗器を装着しているときであっても、カテーテル接続コネクタに電極カテーテルを接続することができる。
また、標準抵抗器のプラグ端子を構成するフォーンプラグが同一のサイズであることにより、装置本体への標準抵抗器の装着操作が容易となる。
【図面の簡単な説明】
【００２８】
【図１】本発明の一実施形態に係る高周波電源装置を備えた電極カテーテルシステムの全体構成を示すブロック図である。
【図２Ａ】本発明の一実施形態に係る高周波電源装置（標準抵抗器を装着していない状態）を示す斜視図である。
【図２Ｂ】図２Ａに示した高周波電源装置において、装置内部の配線を模式的に示す平面図である。
【図３】本発明の一実施形態に係る高周波電源装置に電極カテーテルおよび対極板を接続したときの、電極カテーテルの先端電極と対極板との間の抵抗を測定するために形成された回路を模式的に示す平面図である。
【図４Ａ】本発明の一実施形態に係る高周波電源装置（標準抵抗器を装着している状態）を示す斜視図である。
【図４Ｂ】図４Ａに示した高周波電源装置において、標準抵抗器の抵抗を測定するために形成された回路を模式的に示す平面図である。
【図５Ａ】本発明の他の実施形態に係る高周波電源装置（標準抵抗器を装着していない状態）を示す斜視図である。
【図５Ｂ】図５Ａに示した高周波電源装置において、装置内部の配線を模式的に示す平面図である。
【発明を実施するための形態】
【００２９】
＜第１実施形態＞
以下、本発明の高周波電源装置、およびこれを備えた電極カテーテルシステムの一実施形態について説明する。
図１に示す電極カテーテルシステムは、高周波電源装置１００と、この高周波電源装置１００（カテーテル接続コネクタ８１）に接続されているアブレーションカテーテル３００と、高周波電源装置１００（対極板接続コネクタ８２）に接続されている対極板４００と、高周波電源装置１００（心電計接続コネクタ８５）に接続されている心電計５００とを備えてなる。
【００３０】
図１乃至図４に示す高周波電源装置１００は、アブレーションカテーテル３００の先端電極３１０と、人体表面に貼付される対極板４００との間に高周波電流を流すために使用する電源装置であって；交流電源コンセントに着脱される電源プラグ２１と；電源プラグ２１からの交流電圧を変圧するトランス２３と；トランス２３によって変圧された交流電圧を装置の各構成部に印加する電源部２０と；装置の各構成部を制御するとともに、入力部４０からの入力情報（信号）に基いて高周波信号を形成する演算処理部（ＣＰＵ）１０と；演算処理部１０で形成された高周波信号を、電源部２０から印加された電圧によって増幅し、焼灼可能なエネルギーを有する高周波電流を形成する増幅部（アンプ）３０と；演算処理部１０からの制御信号（出力指示信号）に基いて、増幅部３０で形成された高周波電流をアブレーションカテーテル３００に出力する出力部６０と；演算処理部１０に内蔵され、先端電極３１０と対極板４００との間の抵抗（インピーダンス）を測定する抵抗測定回路５０と；出力情報（電流・電圧・出力エネルギー）を表示するとともに、抵抗測定回路５０により測定された抵抗（インピーダンス）を表示する表示部７０と；抵抗体の両端にプラグ端子２０１，２０２を有してなり、装置本体に対して着脱自在に設けられた標準抵抗器２００と；アブレーションカテーテル３００を接続するためのカテーテル接続コネクタ８１と；対極板４００を接続するための対極板接続コネクタ８２と；対極板接続コネクタ８２に対して一方側に位置し、標準抵抗器２００のプラグ端子２０１，２０２の一方が挿入される抵抗器接続第１コネクタ８３と；対極板接続コネクタ８２に対して他方側に位置し、標準抵抗器２００のプラグ端子２０１，２０２の他方が挿入される抵抗器接続第２コネクタ８４と；心電計５００の端子が挿入される心電計接続コネクタ８５と；抵抗測定回路５０とカテーテル接続コネクタ８１とを接続する第１配線９１と；抵抗測定回路５０と抵抗器接続第１コネクタ８３とを接続するために第１配線９１から分岐する第１分岐配線９３と；抵抗測定回路５０と対極板接続コネクタ８２を接続する第２配線９２と；抵抗測定回路５０と抵抗器接続第２コネクタ８４とを接続するために第２配線９２から分岐する第２分岐配線９４と；カテーテル接続コネクタ８１と心電計接続コネクタ８５とを接続する第３配線９５と、標準抵抗器２００のプラグ端子２０１，２０２と抵抗体との間に設けられた板状体であって、抵抗器接続第１コネクタ８３および抵抗器接続第２コネクタ８４の各々に標準抵抗器２００のプラグ端子２００の各々を挿入したときに、対極板接続コネクタ８２の一部を覆うコネクタカバー２５０とを備えている。
【００３１】
高周波電源装置１００を構成する演算処理部１０では、入力部４０からの信号に基いて、内蔵されている発振子が高周波信号（正弦波）を形成する。
高周波電源装置１００の入力部４０には、図２Ａに示す最大出力設定ダイヤル４１、テストモード（抵抗測定）切替ボタン４２、出力開始ボタン４３、出力停止ボタン４４、消去ボタン４５、出力可能な最小抵抗の設定ボタン４６（測定された抵抗が設定した抵抗より低くなると出力が停止する）、出力継続可能な抵抗変化（上昇）の設定ボタン４７（抵抗の上昇が設定した抵抗変化を超えると出力が停止する）、最大焼灼時間の設定ボタン４８、目標温度の設定ボタン４９が含まれる。
【００３２】
演算処理部１０（発振子）において形成された高周波信号は増幅部３０に送られ、増幅部３０において、電源部２０から印加された電圧によって増幅されて、焼灼可能なエネルギーを有する高周波電流となり、この高周波電流は出力部６０に送られる。
出力部６０に送られた高周波電流（増幅された正弦波）は、演算処理部１０からの制御信号（出力指示信号）に基いて、カテーテル接続コネクタ８１を経由してアブレーションカテーテル３００に出力される。アブレーションカテーテル３００に出力された高周波電流は、先端電極３１０と対極板４００との間に流され、これにより焼灼治療が施される。
【００３３】
なお、このときの出力情報（電流（Ｉ）・電圧（Ｖ）・電力（Ｖ×Ｉ）・焼灼部位への出力エネルギー）は、出力部６０から演算処理部１０（ＣＰＵ）を経由して表示部７０に送られ、表示部７０（図２Ａに示す電流表示部７１・電圧表示部７２・電力表示部７３・出力エネルギー表示部７４）に表示される。また、アブレーションカテーテル３００の先端電極３１０に内蔵されている温度測定手段（熱電対）により測定された温度が温度表示部７６に表示される。
【００３４】
本実施形態の高周波電源装置１００は、演算処理部１０の内部において、アブレーションカテーテル３００の先端電極３１０と、対極板４００との間の抵抗（インピーダンス）を測定するための抵抗測定回路５０を備えている。
【００３５】
図２Ｂに示すように、抵抗測定回路５０は、第１配線９１によってカテーテル接続コネクタ８１に接続されているとともに、第２配線９２によって対極板接続コネクタ８２に接続されている。
【００３６】
カテーテル接続コネクタ８１は、アブレーションカテーテルを接続するためのコネクタであって、例えば、丸型多芯（例えば６芯）のジャック端子（メス端子）からなる。
対極板接続コネクタ８２は、対極板を接続するためのコネクタであって、２本のピンを備えたプラグ端子（オス端子）からなる。
【００３７】
また、高周波電源装置１００は、心電計を接続するための心電計接続コネクタ８５を備えている。心電計接続コネクタ８５は、例えば、丸型多芯（例えば４芯）のジャック端子（メス端子）からなる。
【００３８】
図３に示すように、カテーテル接続コネクタ８１に端子３８１を挿入して高周波電源装置１００にアブレーションカテーテル３００を接続するとともに、対極板接続コネクタ８２に端子４８２を接続して高周波電源装置１００に対極板４００を接続することにより、「抵抗測定回路５０→第１配線９１→カテーテル接続コネクタ８１→端子３８１→アブレーションカテーテル３００（先端電極３１０）→対極板４００→端子４８２→対極板接続コネクタ８２→第２配線９２→抵抗測定回路５０」の回路が形成される。
これにより、アブレーションカテーテル３００の先端電極３１０と、対極板４００との間の抵抗（インピーダンス）を抵抗測定回路５０により測定することができる。
【００３９】
ここに、アブレーションカテーテル３００の端子３８１は、カテーテル接続コネクタ８１に適合する丸型多芯〔例えば、６芯（先端電極３１０の導線に対応する１本、リング電極３２０の導線に対応する３本、熱電対の導線に対応する２本）〕のプラグ端子（オス端子）からなる。
また、対極板４００の端子４８２は、対極板接続コネクタ８２に適合するジャック端子（メス端子）からなる。
【００４０】
抵抗測定回路５０によって測定された先端電極３１０と対極板４００との間の抵抗（インピーダンス）は、出力情報（電流・電圧・電力・出力エネルギー）とともに、表示部７０（図２Ａに示すインピーダンス表示部７５）に表示される。
【００４１】
図３に示すように、高周波電源装置１００の心電計接続コネクタ８５には、端子５８５を介して心電計５００が接続されている。
アブレーションカテーテル３００の先端電極３１０およびリング電極３２０により測定された心内電位は、カテーテル接続コネクタ８１から第３配線９５、心電計接続コネクタ８５、端子５８５を通って心電計５００に出力され、心電計５００のモニタ５２０に表示される。
ここに、心電計５００の端子５８５は、心電計接続コネクタ８５に適合する丸型多芯（例えば４芯）のプラグ端子（オス端子）からなる。
【００４２】
図４Ａおよび図４Ｂに示すように、本実施形態の高周波電源装置１００には、抵抗が既知（１００Ω）の標準抵抗器２００が装置本体に対して着脱自在に設けられている。
また、図２Ｂおよび図４Ｂに示すように、高周波電源装置１００（装置本体）は、対極板接続コネクタ８２に対して一方側に位置し、標準抵抗器２００のプラグ端子の一方が挿入される抵抗器接続第１コネクタ８３と、対極板接続コネクタ８２に対して他方側に位置し、標準抵抗器２００のプラグ端子の他方が挿入される抵抗器接続第２コネクタ８４と、抵抗測定回路５０と抵抗器接続第１コネクタ８３とを接続するために第１配線９１から分岐する第１分岐配線９３と、抵抗測定回路５０と抵抗器接続第２コネクタ８４とを接続するために第２配線９２から分岐する第２分岐配線９４とを備えている。
【００４３】
ここに、抵抗器接続第１コネクタ８３および抵抗器接続第２コネクタ８４は、標準抵抗器２００を接続するための専用コネクタであって、標準抵抗器２００のプラグ端子と適合するフォーンジャック（メス端子）からなる。
【００４４】
図４Ａおよび図４Ｂに示すように、標準抵抗器２００のプラグ端子の一方（例えばプラグ端子２０１）を抵抗器接続第１コネクタ８３に挿入するとともに、プラグ端子の他方（例えばプラグ端子２０２）を抵抗器接続第２コネクタ８４に挿入して、標準抵抗器２００を装置本体に装着することにより、「抵抗測定回路５０→第１配線９１→第１分岐配線９３→抵抗器接続第１コネクタ８３→プラグ端子２０１→標準抵抗器２００→プラグ端子２０２→抵抗器接続第２コネクタ８４→第２分岐配線９４→第２配線９２→抵抗測定回路５０」の回路が形成される。
これにより、抵抗測定回路５０により標準抵抗器２００の抵抗が測定され、測定された抵抗は、表示部７０（図２Ａに示すインピーダンス表示部７５）に表示される。
【００４５】
そして、表示部７０（インピーダンス表示部７５）に表示された抵抗が、標準抵抗器２００の抵抗値（１００Ω）と実質的に一致（例えば±５Ω）していれば、抵抗測定回路５０による抵抗測定性能および表示部７０による表示性能並びに導通経路に問題がなく、手技時（焼灼治療時）においても、誤差のない正確な抵抗（インピーダンス）を表示することができる。
このように、本実施形態の高周波電源装置１００によれば、正確なインピーダンスの測定値（計測値）が表示部７０に表示されるか否かを手技（焼灼治療）を行う前に確認することができる。
【００４６】
標準抵抗器２００のプラグ端子２０１およびプラグ端子２０２は、互いに同一サイズのフォーンプラグ（オス端子）からなる。
本実施形態の高周波電源装置１００によれば、抵抗器接続第１コネクタ８３および抵抗器接続第２コネクタ８４の各々にプラグ端子２０１およびプラグ端子２０２の各々を挿入することによって、装置本体に標準抵抗器２００を装着することができ、カテーテル接続コネクタ８１や対極板接続コネクタ８２に標準抵抗器２００の端子を接続する必要がないので、標準抵抗器２００の端子として、構造の簡単なフォーンプラグを採用することができる。
また、プラグ端子２０１およびプラグ端子２０２を構成するフォーンプラグは、互いに同一のサイズであるため、プラグ端子２０１およびプラグ端子２０２の各々を抵抗器接続第１コネクタ８３および抵抗器接続第２コネクタ８４の何れに挿入することも可能であり、接続の方向性を問わないことから、装置本体への標準抵抗器２００の装着操作が容易となる。
ここに、好適なフォーンプラグとしては、ミニプラグ（３．５ｍｍ）およびマイクロプラグ（２．５ｍｍ）を挙げることができる。
【００４７】
図４Ａおよび図４Ｂに示すように、標準抵抗器２００のプラグ端子２０１，２０２の導電部と抵抗体との間にはコネクタカバー２５０が設けられ、このコネクタカバー２５０にプラグ端子２０１，２０２の後端側が固定されている。これにより、プラグ端子２０１とプラグ端子２０２との離間距離（導電部における離間距離）は、抵抗器接続第１コネクタ８３と抵抗器接続第２コネクタ８４との離間距離と一致している。
【００４８】
そして、抵抗器接続第１コネクタ８３および抵抗器接続第２コネクタ８４の各々にプラグ端子２０１およびプラグ端子２０２の各々を挿入したとき（装置本体に標準抵抗器２００を装着したとき）には、このコネクタカバー２５０によって対極板接続コネクタ８２の一部が覆われるために、対極板接続コネクタ８２に対極板４００の端子４８２を接続することができなくなる。高周波電源装置１００（対極板接続コネクタ８２）に対極板４００（端子４８２）を接続するためには、抵抗器接続第１コネクタ８３および抵抗器接続第２コネクタ８４に挿入されている標準抵抗器２００のプラグ端子２０１，２０２の少なくとも一方を取り外さなければならない。
【００４９】
他方、図３に示したように、対極板接続コネクタ８２に対極板４００（端子４８２）が接続されているときには、抵抗器接続第１コネクタ８３および抵抗器接続第２コネクタ８４の各々にプラグ端子２０１，２０２の各々を挿入しようとしても、コネクタカバー２５０が対極板４００の端子４８２に当接するために、プラグ端子を挿入すること（装置本体に標準抵抗器２００を装着すること）はできない。
【００５０】
このように、装置本体に標準抵抗器２００が装着されているときには、高周波電源装置１００に対極板４００を接続することができず、高周波電源装置１００に対極板４００が接続されているときには、装置本体に標準抵抗器２００を装着することができないので、標準抵抗器２００の抵抗を測定するための回路（抵抗測定回路５０→第１配線９１→第１分岐配線９３→抵抗器接続第１コネクタ８３→プラグ端子２０１→標準抵抗器２００→プラグ端子２０２→抵抗器接続第２コネクタ８４→第２分岐配線９４→第２配線９２→抵抗測定回路５０）と、アブレーションカテーテル３００の先端電極３１０と対極板４００との間の抵抗を測定したり、先端電極３１０と対極板４００との間に高周波電流を流したりするための回路〔演算処理部１０（抵抗測定回路５０）→第１配線９１→カテーテル接続コネクタ８１→端子３８１→アブレーションカテーテル３００（先端電極３１０）→対極板４００→端子４８２→対極板接続コネクタ８２→第２配線９２→演算処理部１０（抵抗測定回路５０）〕との並列回路が形成されることを防止することができる。
【００５１】
ここに、コネクタカバー２５０を備えていない高周波電源装置において、上記の並列回路が形成されると、標準抵抗器の抵抗、および、アブレーションカテーテルの先端電極と対極板との間の抵抗（インピーダンス）を正確に測定することができず、また、手技時に並列回路が形成される（標準抵抗器を装着した状態の高周波電源装置に、アブレーションカテーテルおよび対極板が接続されている）と、アブレーションカテーテルの先端電極と対極板との間に流すべき高周波電流の一部が標準抵抗器に流れる結果、十分な焼灼がなされないという問題を生じる。これらの問題は、カテーテル接続コネクタ８１のほかに抵抗器接続第１コネクタ８３を配置するとともに、対極板接続コネクタ８２のほかに抵抗器接続第２コネクタ８４を配置したことによる新たな技術的課題である。
【００５２】
コネクタカバー２５０を備えてなる本実施形態の高周波電源装置１００によれば、標準抵抗器２００の装着時において対極板接続コネクタ８２の一部を覆うコネクタカバー２５０によって、上記の並列回路が形成されることを確実に防止できるので、並列回路が形成されることによる上述の問題を回避することができる。
【００５３】
ここに、コネクタカバー２５０の形状としては、標準抵抗器２００の装着時に対極板接続コネクタ８２の一部を覆うことができるものであれば特に限定されるものではない。  また、コネクタカバーの材質としても、特に限定されるものではなく、樹脂やセラミックなどを使用することができる。
【００５４】
一方、本実施形態の高周波電源装置１００では、抵抗器接続第１コネクタ８３および抵抗器接続第２コネクタ８４の各々に標準抵抗器２００のプラグ端子２０１，２０２の各々を挿入して、装置本体に標準抵抗器２００を装着しているときであっても、カテーテル接続コネクタ８１にアブレーションカテーテル３００（端子３８１）を接続することができる。
このように、高周波電源装置１００（装置本体）に対して、標準抵抗器２００およびアブレーションカテーテル３００を同時に接続（装着）させることができるので、標準抵抗器２００の抵抗測定（抵抗測定性能および表示性能並びに導通経路の確認）と、先端電極３１０に内蔵されている温度測定手段（熱電対）による温度測定とを同時に行うことができる。
また、標準抵抗器２００の抵抗測定と、アブレーションカテーテル３００の電極（先端電極３１０およびリング電極３２０）による心内電位の測定とを同時に行うことも可能である。
【００５５】
＜第２実施形態＞
図５Ａおよび図５Ｂに示す高周波電源装置６００は、カテーテル接続コネクタ８１と対極板接続コネクタ８２と抵抗器接続第１コネクタ８３と抵抗器接続第２コネクタ８４と心電計接続コネクタ８５とを備えた装置本体の一部が、中継ボックス６０Ｂとして分割されていること以外は第１実施形態の高周波電源装置１００と同様の構成である。同図において、７００は、中継ボックス６０Ｂと、中継ボックスを除く装置本体６０Ａとを接続するケーブルである。
【００５６】
本実施形態の高周波電源装置６００によれば、中継ボックス６０Ｂを患者および／または心電計の傍に配置することにより、重くて容積の大きな高周波電源装置６００を患者（患者を乗せたベッド）から離れた位置に配置することができるようになる。このようにすれば、アブレーションカテーテル３００による手技中に、患者（患者を乗せたベッド）を検査などで移動させる場合に、装置本体６０Ａを移動させることなく小さな中継ボックス６０Ｂのみを移動させるだけでよくなる。このような患者（患者を乗せたベッド）の移動は、ＣＴ撮影装置と患者との位置関係を調整するときに行われることがあるため、中継ボックス６０Ｂのみの移動で済むと、手技を迅速かつ容易に行うことができる。
【００５７】
また、アブレーションカテーテルを患者に挿入する医師とは異なるオペレータが高周波電源装置を操作することがあり、このような場合に、患者の周辺に、高周波電源装置があり、しかも、これを操作するオペレータがいると、医師の手技の邪魔になる虞がある。
然るに、本実施形態の高周波電源装置６００では、中継ボックス６０Ｂを介して、装置本体６０Ａと、アブレーションカテーテル３００とが接続されているので、装置本体６００および装置のオペレータを、患者および手技を行う医師から離れた位置に配置することができるので、医師はスムーズに手技を進めることができるようになる。
【００５８】
以上、本発明の実施形態について説明したが、本発明はこれらに限定されるものではなく、種々の変更が可能である。
例えば、抵抗器接続第１コネクタおよび抵抗器接続第２コネクタの各々にプラグ端子の各々を挿入したときに、標準抵抗器（抵抗体）によって対極板接続コネクタの一部を覆い、これにより、対極板接続コネクタに対極板を接続できないようにしてもよい。
【符号の説明】
【００５９】
１００  高周波電源装置
１０    演算処理部
１２０  電源部
１２１  電源プラグ
１２３  電源トランス
３０    増幅部
４０    入力部
４１    最大出力設定ダイヤル
４２    テストモード切替ボタン
４３    出力開始ボタン
４４    出力停止ボタン
４５    消去ボタン
４６    出力可能な最小抵抗の設定ボタン
４７    出力継続可能な抵抗の変化の設定ボタン
４８    最大焼灼時間の設定ボタン
４９    目標温度の設定ボタン
５０    抵抗測定回路
６０    出力部
７０    表示部
７１    電流表示部
７２    電圧表示部
７３    電力表示部
７４    出力エネルギー表示部
７５    インピーダンス表示部
７６    温度表示部
８１    カテーテル接続コネクタ
８２    対極板接続コネクタ
８３    抵抗器接続第１コネクタ
８４    抵抗器接続第２コネクタ
８５    心電計接続コネクタ
９１    第１配線
９２    第２配線
９３    第１分岐配線
９４    第２分岐配線
９５    第３配線
２００  標準抵抗器
２０１，２０２  プラグ端子
２５０  コネクタカバー
３００  アブレーションカテーテル
３１０  先端電極
３２０  リング電極
４００  対極板
５００  心電計
６００  高周波電源装置
６０Ａ  装置本体（中継ボックスを除く部分）
６０Ｂ  中継ボックス
７００  接続ケーブル
【図１】
0005744765.tif 000002
【図２Ａ】
0005744765.tif 000003
【図２Ｂ】
0005744765.tif 000004
【図３】
0005744765.tif 000005
【図４Ａ】
0005744765.tif 000006
【図４Ｂ】
0005744765.tif 000007
【図５Ａ】
0005744765.tif 000008
【図５Ｂ】
0005744765.tif 000009